【手続補正書】
【提出日】平成15年11月27日(2003.11.27)
【手続補正１】
【補正対象書類名】明細書
【補正対象項目名】発明の名称
【補正方法】変更
【補正の内容】
【発明の名称】データ処理方法、データ処理装置、データ処理システムおよびその記憶媒体、コンピュータプログラム
【手続補正２】
【補正対象書類名】明細書
【補正対象項目名】特許請求の範囲
【補正方法】変更
【補正の内容】
【特許請求の範囲】
【請求項１】
夫々所定の情報を有するオブジェクトストリームを含むデータストリームから前記オブジェクトストリームを分離して再生するデータ処理方法であって、
前記データストリームに含まれる知的財産権情報を抽出し、
前記データストリームを受信して再生するユーザ又は装置に固有のＩＤ情報と、前記知的財産権情報の少なくともいずれかを用いて鍵情報を生成し、
前記オブジェクトストリームを、前記鍵情報に基づいてデスクランブルするように制御することを特徴とするデータ処理方法。
【請求項２】
更に、前記オブジェクトストリームに含まれる透かし情報を抽出し、前記ＩＤ情報と、前記知的財産権情報と、前記透かし情報の少なくともいずれかを用いて前記オブジェクトストリームの鍵情報を生成することを特徴とする請求項１に記載のデータ処理方法。
【請求項３】
夫々所定の情報を有するオブジェクトストリームを含むデータストリームから前記オブジェクトストリームを分離して再生するデータ処理方法であって、
前記オブジェクトストリームに含まれる透かし情報を抽出し、
前記データストリームを受信して再生するユーザ又は装置に固有のＩＤ情報と、前記透かし情報の少なくともいずれかを用いて鍵情報を生成し、
前記オブジェクトストリームを、前記鍵情報に基づいてデスクランブルするように制御することを特徴とするデータ処理方法。
【請求項４】
前記透かし情報は、前記オブジェクトストリームに電子透かしとして埋め込まれることを特徴とする請求項２又は３に記載のデータ処理方法。
【請求項５】
前記知的財産権情報と前記ＩＤ情報とに基づいて認証情報を生成し、前記認証情報と前記透かし情報とを基に前記鍵情報が生成されることを特徴とする請求項２又は４に記載のデータ処理方法。
【請求項６】
前記知的財産権情報は、知的財産を保護、管理するためのストリームに含まれることを特徴とする請求項１又は２に記載のデータ処理方法。
【請求項７】
前記ＩＤ情報は、前記オブジェクトストリームを分離、デスクランブル、再生を行うデータ処理装置に設定されていることを特徴とする請求項１乃至６のいずれか１項に記載のデータ処理方法。
【請求項８】
前記ＩＤ情報は、前記データ処理装置に接続可能な記憶媒体に組み込まれていることを特徴とする請求項７に記載のデータ処理方法。
【請求項９】
前記オブジェクトストリームの情報は高能率符号化されていることを特徴とする請求項１乃至８のいずれか１項に記載のデータ処理方法。
【請求項１０】
前記データストリームは、音声オブジェクトストリーム、静止画像オブジェクトストリーム、動画像ストリーム、コンピュータグラフィックストリームのうち少なくとも１つのストリームと、オブジェクトを合成するためのシーン記述情報ストリームとを少なくとも含むことを特徴とする請求項１乃至９のいずれか１項に記載のデータ処理方法。
【請求項１１】
夫々所定の情報を有する暗号化された少なくとも１つのオブジェクトストリームを含むデータストリームを入力する入力手段と、
前記入力手段により入力された前記データストリームから前記オブジェクトストリームを分離する分離手段と、
前記データストリームに含まれる知的財産権情報を抽出する知的財産権情報抽出手段と、
前記知的財産権情報を用いて鍵情報を生成する鍵情報生成手段と、
前記分離手段で分離された前記オブジェクトストリームを、前記鍵情報に基づいてデスクランブルするデスクランブル手段と、
前記デスクランブル手段でデスクランブルされた前記オブジェクトストリームから前記所定の情報を復号化する復号化手段とを有することを特徴とするデータ処理装置。
【請求項１２】
更に、前記オブジェクトストリームに含まれる透かし情報を抽出する透かし情報抽出手段を有し、前記鍵情報生成手段は前記知的財産権情報と前記透かし情報の少なくとも１つを用いて前記鍵情報を生成することを特徴とする請求項１１に記載のデータ処理装置。
【請求項１３】
更に前記データ処理装置或いは前記データ処理装置に接続可能な記憶媒体に組み込まれたＩＤ情報を収得する収得手段を有し、前記鍵情報生成手段は前記知的財産権情報と前記透かし情報及び前記ＩＤ情報の少なくとも１つを用いて前記鍵情報を生成することを特徴とする請求項１２に記載のデータ処理装置。
【請求項１４】
更に、前記知的財産権情報と前記ＩＤ情報とに基づいて認証情報を生成する認証情報処理手段を有し、前記鍵情報生成手段は、前記認証情報と前記透かし情報とを基に前記鍵情報生成することを特徴とする請求項１３に記載のデータ処理装置。
【請求項１５】
前記知的財産権情報は、知的財産を保護、管理するためのストリームに含まれることを特徴とする請求項１１乃至１４のいずれか１項に記載のデータ処理装置。
【請求項１６】
夫々所定の情報を有する暗号化された少なくとも１つのオブジェクトストリームを含むデータストリームを入力する入力手段と、
前記入力手段により入力された前記データストリームから前記オブジェクトストリームを分離する分離手段と、
前記オブジェクトストリームに含まれる透かし情報を抽出する透かし情報抽出手段と、
前記透かし情報を用いて鍵情報を生成する鍵情報生成手段と、
前記分離手段で分離された前記オブジェクトストリームを、前記鍵情報に基づいてデスクランブルするデスクランブル手段と、
前記デスクランブル手段でデスクランブルされた前記オブジェクトストリームから前記所定の情報を復号化する復号化手段とを有することを特徴とするデータ処理装置。
【請求項１７】
更に前記データ処理装置或いは前記データ処理装置に接続可能な記憶媒体に組み込まれたＩＤ情報を収得する収得手段を有し、前記鍵情報生成手段は前記透かし情報と前記ＩＤ情報の少なくとも１つを用いて前記鍵情報を生成することを特徴とする請求項１６に記載のデータ処理装置。
【請求項１８】
前記データストリームは、音声オブジェクトストリーム、静止画像オブジェクトストリーム、動画像ストリーム、コンピュータグラフィックストリームのうち少なくとも１つのストリームと、オブジェクトを合成するためのシーン記述情報ストリームとを少なくとも含むことを特徴とする請求項１１乃至１７のいずれか１項に記載のデータ処理装置。
【請求項１９】
請求項１〜１０のいずれか１項に記載のデータ処理方法を実行するコンピュータプログラム。
【請求項２０】
請求項１９に記載のプログラムを格納し、コンピュータが読み取り可能なコンピュータ可読記憶媒体。
【請求項２１】
送信側機器と受信側機器とを有するデータ処理システムであって、
前記送信側機器は、
透かし情報をオブジェクトストリームに電子透かしとして埋め込む埋め込み手段と、
知的財産権情報を所定のデータストリームに含める手段とを有し、
前記受信側機器は、
夫々所定の情報を有する暗号化されたオブジェクトストリームを含むデータストリームを入力する入力手段と、
前記入力手段により入力された前記データストリームから前記オブジェクトストリームを分離する分離手段と、
前記オブジェクトストリームに含まれる透かし情報及び又は前記データストリームに含まれる知的財産権情報を抽出する抽出手段と、
前記透かし情報と前記知的財産権情報の少なくとも１つを用いて鍵構報を生成する鍵情報生成手段と、
前記分離手段で分離された前記オブジェクトストリームを、前記鍵情報に基づいてデスクランブルするデスクランブル手段と、
前記デスクランブル手段でデスクランブルされた前記オブジェクトストリームから前記所定の情報を復号化する復号化手段とを有することを特徴とするデータ処理システム。
【手続補正３】
【補正対象書類名】明細書
【補正対象項目名】０００１
【補正方法】変更
【補正の内容】
【０００１】
【発明の属する技術分野】
本発明はデータ処理方法、データ処理装置、データ処理システムおよびその記憶媒体とコンピュータプログラムに関し、特に複数のオブジェクトストリームから情報を再生するデータ処理方法、データ処理装置、データ処理システムおよびその記憶媒体とコンピュータプログラムに関するものである。


【手続補正４】
【補正対象書類名】明細書
【補正対象項目名】００１１
【補正方法】変更
【補正の内容】
【００１１】
本発明は上記従来例に鑑みてなされたもので、オブジェクトデータに含まれる知的財産権情報と透かし情報とを用いて、そのオブジェクトデータのデスクランブル再生制御を行うことができるデータ処理方法及びその装置、データ処理システムおよびその記憶媒体とコンピュータプログラムを提供することを目的とする。


【手続補正５】
【補正対象書類名】明細書
【補正対象項目名】００１２
【補正方法】変更
【補正の内容】
【００１２】
また本発明の目的は、透かし情報及び知的財産権情報の少なくとも１つを用いて作成した鍵情報を基に、オブジェクトデータのデスクランブルを行うことにより、復号・再生すべきでないユーザにより、そのオブジェクトデータが再生されるのを防止できるようにしたデータ処理方法及び装置、データ処理システムおよびその記憶媒体とコンピュータプログラムを提供することにある。


【手続補正６】
【補正対象書類名】明細書
【補正対象項目名】００１３
【補正方法】変更
【補正の内容】
【００１３】
【課題を解決するための手段】
上記目的を達成するために本発明のデータ処理装置は以下のような構成を備える。即ち、
夫々所定の情報を有する暗号化された少なくとも１つのオブジェクトストリームを含むデータストリームを入力する入力手段と、
前記入力手段により入力された前記データストリームから前記オブジェクトストリームを分離する分離手段と、
前記データストリームに含まれる知的財産権情報を抽出する知的財産権情報抽出手段と、
前記知的財産権情報を用いて鍵情報を生成する鍵情報生成手段と、
前記分離手段で分離された前記オブジェクトストリームを、前記鍵情報に基づいてデスクランブルするデスクランブル手段と、
前記デスクランブル手段でデスクランブルされた前記オブジェクトストリームから前記所定の情報を復号化する復号化手段とを有することを特徴とする。


【手続補正７】
【補正対象書類名】明細書
【補正対象項目名】００１４
【補正方法】変更
【補正の内容】
【００１４】
上記目的を達成するために本発明のデータ処理方法は以下のような工程を備える。即ち、
夫々所定の情報を有するオブジェクトストリームを含むデータストリームから前記オブジェクトストリームを分離して再生するデータ処理方法であって、
前記データストリームに含まれる知的財産権情報を抽出し、
前記データストリームを受信して再生するユーザ又は装置に固有のＩＤ情報と、前記知的財産権情報の少なくともいずれかを用いて鍵情報を生成し、
前記オブジェクトストリームを、前記鍵情報に基づいてデスクランブルするように制御することを特徴とする。


【手続補正８】
【補正対象書類名】明細書
【補正対象項目名】００７８
【補正方法】変更
【補正の内容】
【００７８】
【発明の効果】
以上説明したように本発明によれば、オブジェクトデータに含まれる知的財産権情報と透かし情報とを用いて、そのオブジェクトデータのデスクランブル再生制御を行うことができるという効果がある。


【手続補正９】
【補正対象書類名】明細書
【補正対象項目名】００７９
【補正方法】変更
【補正の内容】
【００７９】
また本発明によれば、透かし情報及び知的財産権情報の少なくとも１つを用いて作成した鍵情報を基に、オブジェクトデータのデスクランブルを行うことにより、復号・再生すべきでないユーザにより、そのオブジェクトデータが再生されるのを防止できるという効果がある。